(57)【要約】      （修正有）【課題】輸血等に用いるニードレス式コネクター構造を提供する。【解決手段】中空コネクター１、バネ２、開閉アセンブリ３からなり、中空コネクター１両端に連通する第一液体流路１１及び第二液体流路１２を備え、第一液体流路１１内周には径を狭窄した環状ブロッ部を設け、その上方に第一環状内壁面１１２を形成すると共に下方にはそれより径を拡大した第二環状内壁面１１３を形成し、バネ２は第一液体流路１１に収容して設置し、開閉アセンブリ３はストッパー３１、及びストッパー３１より連接する導管３２を備え、ストッパー３１は環状ブロック部に向けてバネ２により押圧され、導管３２を第二液体流路１２に相通し、ストッパー３１の外周に第一環状内壁面１１２に接する第一環状部３１１及び第二環状内壁面１１３に接する第二環状部３１２を設ける。【選択図】図４
0003181639.tif 000002
【実用新案登録請求の範囲】
【請求項１】
ニードレス式コネクター構造であって、中空コネクター、バネ、開閉アセンブリからなり、
該中空コネクターは、両端に連通する第一液体流路及び第二液体流路を備え、該第一液体流路内周には、径を狭窄した環状ブロック部を形成し、
該環状ブロック部上方に第一環状内壁面、下方にそれより内径を拡大した第二環状内壁面を形成し、
該バネは、該第一液体流路の内径を拡大した第二環状内壁面に位置して収容設置し、
該開閉アセンブリは、ストッパー、及び該ストッパーより連接する導管を備え、該ストッパーは、該導管を該第二液体流路に通して配置すると共に該環状ブロック部に対して移動可能に配置し、上記バネにより該環状ブロック部に向けて押圧され、
該ストッパーの外周には、該第一環状内壁面に接して流路を閉塞する第一環状部、及び該第二環状内壁面に接して流路を閉塞する第二環状部を形成し、
該ストッパーは、該第一環状部と該第二環状部の間に、該導管に連通する導孔を設けたことを特徴とするニードレス式コネクター構造。
【請求項２】
前記第一環状内壁面の周縁サイズは、該第二環状内壁面の周縁サイズより小さいことを特徴とする請求項１に記載のニードレス式コネクター構造。
【請求項３】
前記ストッパーは、チョックブロック、及び該チョックブロック外周に嵌めて設置する２個のOリングを備え、
該チョックブロックから前記導管を延長形成し、
該２個のOリングをチョックブロック外周に嵌めて該第一環状部及び該第二環状部を形成し、該チョックブロックには、該導管に連通する導孔を設置したことを特徴とする請求項１に記載のニードレス式コネクター構造。
【請求項４】
前記チョックブロックは、肩部、及び該肩部から該導管と反対方向へと延伸する頭部を備え、
該肩部の外径は、該頭部の外径より大きく、
該該頭部外周に第一環状溝を設け、該該肩部外周には第二環状溝を設けて、該２個のOリングを該第一環状溝及び該第二環状溝にそれぞれ嵌合・定位して第一環状内壁面に接して流路を閉塞する第一環状部、及び該第二環状内壁面に接して流路を閉塞する第二環状部を形成したことを特徴とする請求項３に記載のニードレス式コネクター構造。
【請求項５】
前記チョックブロックは、該導管の反対方向の頂面に入液面を形成し、
該該入液面周縁に至る少なくとも１個の導流溝を形成したことを特徴とする請求項３に記載のニードレス式コネクター構造。
【請求項６】
前記中空コネクターは、相互に接続する第一中空体及び第二中空体からなり、
該第一中空体内には、前記第一液体流路を形成し、該第二中空体は、内部に隔壁を設けて該隔壁中央に、前記該第二液体流路を設けた中空管を延長形成したことを特徴とする請求項１に記載のニードレス式コネクター構造。
【請求項７】
前記第一中空体は、該第二中空体から離れた端部に、外ネジヤマを開設し、該第二中空体内には、該隔壁と該中空管の間に相対し、陥没区を形成し、
該陥没区の外周縁には、内ネジヤマを開設することを特徴とする請求項６に記載のニードレス式コネクター構造。
【請求項８】
前記バネの一端は、該チョックブロックに接することを特徴とする請求項３に記載のニードレス式コネクター構造。
【請求項９】
前記バネの他端は、該隔壁に接触することを特徴とする請求項６に記載のニードレス式コネクター構造。
【請求項１０】
前記バネは、螺旋バネであることを特徴とする請求項１に記載のニードレス式コネクター構造。
【考案の詳細な説明】
【技術分野】
【０００１】
本考案は輸血或いは輸薬液に用いる医療器具に関し、特にニードレス式コネクター構造に関する。
【背景技術】
【０００２】
従来のシリンジ注射器は、よく見られる、薬剤注射のための器具である。
しかし、注射針は鋭利な構造であるため、シリンジ注射器を使用する際に、医療スタッフの不注意で針刺し事故が起きる恐れがあり、もし、注射針が清潔でなければ感染が起きる可能性もある。
そのため、医療スタッフと環境に与える影響を回避し、使用上の安全性を高めるため、注射針の廃棄には注意が必要で、専門的な回収と処理の体制が必要である。
【０００３】
しかし、これにより医療コストを押し上げてしまっている。
そのため、ニードレス式コネクター構造が開発され、ニードレス式注射器に合わせて薬剤を注射することができるようになっている。
この種の器具は危険性が低く、繰り返し使用が可能であるため、使用済み品の大量回收によるコスト高騰を回避することができる。
【０００４】
上記のニードレス式コネクター構造には、特許文献１に示す「Needleless luer
access connector」がある。
それは、中空外殼及び隔片を備え、中空外殼内には、液体流路を設置する。
該隔片は、中空外殼内に設置し、該液体流路前で塞ぎ、該液体流路を密封する。
該隔片は、軟弾性体で、しかも中央にスリットを開設する。
これにより、ニードレス式注射器は、該スリットを通り、該隔片中に挿入される。
これにより、該隔片は変形し、該液体流路を開放し、ニードレス式注射器内の液体は、ニードレス式コネクター構造を通って患者の体内に進入する。
【０００５】
しかし、特許文献１に示す「Needleless luer
access connector」の構造は、詳細を以下に説明するように、不安定である。
該隔片は、スリットの開閉を通して、該液体流路の開閉をコントロールするため、長期間の使用により、該隔片に弾性疲労の問題が発生すると、スリットに密着不全の状況が発生し、封鎖の効果が低下してしまう。
これにより、注射が終了し、注射器を引き戻す時、負圧方式で、血液と薬剤がコネクター構造内に逆流してしまい、該スリットから溢れ出し、医療スタッフ或いは環境に感染が起きる恐れがある
本考案は、従来のニードレス式コネクター構造の上記した欠点に鑑みてなされたものである。
【先行技術文献】
【特許文献】
【０００６】
【特許文献１】米国特許第7,713,250号
【特許文献２】特開平１０−３２３３９７号公報
【考案の概要】
【考案が解決しようとする課題】
【０００７】
本考案が解決しようとする課題は、外力から解放されると、バネの作用によりストッパーが押圧されて自動的に閉塞状態を回復させ、第一環状部と第二環状部により液体流路を塞ぐことにより、構造全体の安定性を高め、良好な封鎖効果を達成し、これにより外界の空気はコネクター構造内に完全に進入することができないニードレス式コネクター構造を提供することである。
【課題を解決するための手段】
【０００８】
上記課題を解決するため、本考案は下記のニードレス式コネクター構造を提供する。
ニードレス式コネクター構造は、中空コネクター、バネ、開閉アセンブリを備え、
該中空コネクター両端から連通する第一液体流路及び第二液体流路を備え、
該第一液体流路内周には、内径を狭窄した環状ブロック部を設け、該環状ブロック上方には第一環状内壁面を形成し、その下方には内径を拡大した第二環状内壁面を形成し、
該バネは、該第一液体流路の第二環状内壁面の位置に収容して設置し、
該開閉アセンブリは、ストッパー、及び該ストッパーより延長する導管を備え、
該ストッパーは、該環状ブロック部に接して該バネの押圧力を受けて配置定され、該導管は、該第二液体流路に先端部を挿通して設置し、該ストッパーの外周縁には、該第一環状内壁面に接して液体を密封する第一環状部、及び該第二環状内壁面に接して液体を密封する第二環状部を形成し、該ストッパーは、該第一環状部と該第二環状部の間に、該導管に連通する導孔を設置する。
【考案の効果】
【０００９】
本考案のニードレス式コネクター構造は、以下の5項目の長所を備える。
1.  力を受けて圧縮されたバネは、ストッパーを押して自動的回復することにより、ストッパー上の第一環状部及び第二環状部により液体流路を塞ぎ、該弾性ブロック部に至るまでストッパーは閉塞側に移動することにより、ニードレス式コネクター構造封鎖の機能を達成し、外界空気のコネクター中への進入、或いは患者体内の薬剤と血液の逆流を回避できるため、長期の使用により、バネに弾性疲労が発生してもストッパーの封鎖効果に影響を及ぼすことはなく、こうして本考案ニードレス式コネクター構造は、極めて優れた構造安定性及び封鎖能力を備える。
2.  医療上の輸血或いは輸薬過程で、従来の注射針を使用する必要がなく、ニードレス式注射器とニードレス式コネクター構造の相互対応接続を利用すれば、針刺し事件の発生を回避でき、針の交換及び回收を減らすことで、医療コストを低下させることができる。
3.  ストッパーが第一液体流路をスライド移動する過程において、ストッパー外周に形成する第二環状部は、常に第二環状内壁面に接触するため、液体がストッパーと第二環状内壁面の間の空隙を通して他の位置にしみ出す恐れがなく、こうして液体は、確実に導孔中に流入するため、本考案のニードレス式コネクター構造は良好な導流安定性を備える。
4.  ストッパーはチョックブロック、及びチョックブロック外周に嵌合して設置する２個のOリングを備え、チョックブロックは、硬質材料で、Oリングは、ゴム或いはシリコンゴム等の材質で、チョックブロックは２個のOリングに相対し、第一環状部及び第二環状部を形成するため、本考案は簡単で、しかも製造に便利なパーツを利用し、構造が安定したストッパーを簡単に組合わせて構成でき、こうしてニードレス式コネクター構造の製造コストを節減することができる。
5.    ストッパーの、注射ヘッドに接触する表面には、入液面を形成し、入液面周縁にいたる導流溝を備え、こうして液体は、導流溝を通り、第一液体流路中に進入し、液体がストッパーの表面に阻害されることを回避でき、液体逆流問題の発生を低下させることができる。
【図面の簡単な説明】
【００１０】
【図１】本考案ニードレス式コネクター構造の立体分解図である。
【図２】本考案ニードレス式コネクター構造の別種の立体分解図である。
【図３】本考案ニードレス式コネクター構造の組合せ模式図である。
【図４】本考案ニードレス式コネクター構造の断面模式図である。
【図５】本考案ニードレス式コネクター構造の使用状態模式図である。
【図６】本考案ニードレス式コネクター構造の別種の使用状態模式図である。
【考案を実施するための形態】
【００１１】
以下に図面を参照しながら本考案を実施するための最良の形態について詳細に説明する。
【実施例】
【００１２】
図１〜４に示すように、本考案のニードレス式コネクター構造10は、中空コネクター1、バネ2及び開閉アセンブリ3からなる。
【００１３】
該中空コネクター1は、相互に接続する第一中空体13及び第二中空体14からなる。
該第一中空体13内には、第一液体流路11を形成し、第二中空体14には第二液体流路12を設けて該中空コネクター1両端から、第一液体流路11及び第二液体流路12を連通する。
【００１４】
該第一中空体13の第一液体流路11上部内周面には内径を狭窄して環状ブロック部を形成し、該環状ブロック部上方には内径の小さい第一環状内壁面112を形成する。
【００１５】
さらに、該第一液体流路11は、該環状ブロック部下方に内径を狭窄（拡大）した第二環状内壁面113を形成する。
【００１６】
上記第二中空体14には、隔壁141を設けてその中央にストッパー３１の導管３２先端部を挿通する第二液体流路12を設けた中空管142を延長して設ける。
【００１７】
上記第一中空体13の、該第二中空体14から離れる端部には、外ネジヤマ131を開設し、該第二中空体14内には、該隔壁141及び該中空管142の間に相対し、陥没区143を形成し、該陥没区143の外周縁には、内ネジヤマ144を開設する。
【００１８】
前記バネ2は、該第一液体流路11に収容して設置し、該バネ2は、螺旋バネであるが、これに限定するものではない。
【００１９】
前記開閉アセンブリ3は、ストッパー31、及び該ストッパー31から連接する導管32を備え、該ストッパー31は、該環状ブロック111と該バネ2の間に挟まれて固定される。
【００２０】
該ストッパー31の導管３２は、該第二液体流路12に通して設置し、該ストッパー31の外周には、上記第一中空体13の第一環状内壁面112に接する第一環状部311、及び該第二環状内壁面113に接する第二環状部312を形成する。
【００２１】
該ストッパー31は、該第一環状部311と該第二環状部312の間に、前記導管３２に連通する導孔313を設ける。
【００２２】
該ストッパー31は、チョックブロック33、及び該チョックブロック33外周に嵌合する２個のOリング34を備える。
【００２３】
該チョックブロック33は、プラスチック等の硬質材料からなり、Oリング34は、ゴム或いはシリコンゴム等の材質からなる。
【００２４】
該チョックブロック33から下方に向けて、導管32を延長形成し、該導管32に連通する導孔313を設ける。
【００２５】
該チョックブロック33は、外径を拡大した肩部331、及び該肩部331より該導管32の反対方向へと頭部332を延長形成する。該肩部331の外周径は、該頭部332の外周径より大きい。
【００２６】
該チョックブロック33の頭部332外周には、第一環状溝333を形成し、該肩部331外周には、第二環状溝334を形成して、２個の該Oリング34は、該第一環状溝333及び該第二環状溝334にそれぞれ嵌合して定位し、第一環状部311及び第二環状部312を形成する。
【００２７】
また、該チョックブロック33は、該導管32の反対端の頂面に入液面335を形成し、該入液面335の周縁336に向けて一或いは複数の導流溝337を形成する。
【００２８】
さらに、前記バネ2の一端は、該チョックブロック33の肩部331に接し、他端は隔壁141に接する。
【００２９】
これにより、該バネ2は、該第一液体流路11中に収容して設置され、該チョックブロック33に、該環状ブロック111へ向けた押圧力を作用する。
【００３０】
本考案ニードレス式コネクター構造10の組合せにおいて、中空コネクター1両端から第一中空体の第一液体流路11から第二中空体の第二液体流路12へと連通し、該第一液体流路11上部内周面にストッパー31に当接する環状ブロック部を形成し、該環状ブロック部より上方の第一液体流路11上部内周が第一環状内壁面112を形成する。
【００３１】
さらに、該第一液体流路11には、該環状ブロック部より下方に内径を拡大した第一環状内壁面112を形成する。
【００３２】
バネ2は、該第一液体流路11の第一環状内壁面112の位置に収容して設置する。
【００３３】
該開閉アセンブリ3のストッパー31は、その肩部と第二中空体１４の隔壁１４１との間に配置されたバネ2により、該導管3２先端部を該第二中空体１４の第二液体流路12に挿通すると共に、該バネの作用によって該環状ブロック部に向けて押圧力を作用するように配置される。
【００３４】
ストッパー31の外周面には、第一環状内壁面112に接する第一環状部311、及び第二環状内壁面113に接する第二環状部312を形成し、該ストッパー31は、該第一環状部311と該第二環状部312の間に、導管22に連通する導孔313を設ける。
【００３５】
これにより、前記バネ2の機能は、該ストッパー31を押圧して、該ストッパー31外周の前記Ｏリングを嵌合した第一環状部311及び第二環状部312により、液体流路を閉塞する。
【００３６】
こうして、ニードレス式コネクター構造10を封鎖する機能を達成し、外界空気のコネクター中への進入、或いは患者体内の薬剤と血液の逆流を回避できるため、長期の使用により、該バネ2に弾性疲労が発生しても、該ストッパー31の封鎖効果に影響を及ぼすことはない。
【００３７】
こうして、本考案封鎖ニードレス式コネクター構造10は、極めて優れた構造安定性及び封鎖能力を備える。
【００３８】
本考案ニードレス式コネクター構造の使用状態を示す図５、６に示すように、該ニードレス式注射器100の注射ヘッド101は、該中空コネクター1の第一液体流路11より挿入される。
【００３９】
該注射ヘッド101に、図の上方から力を加えると、該バネ2を押圧して圧縮させ、これにより該ストッパー31は下降し、同時に、該第一環状部311は、元の該第一環状内壁面112の位置から、内径を拡大した該第二環状内壁面113の位置へと移動する。
【００４０】
該第二環状内壁面113の外径該は第一環状内壁面112の外径より大きいため、該第一環状部311の閉鎖能力は失効し、ニードレス式注射器100の液体200は、入液面335より、該第一液体流路11内へと進入する。
【００４１】
さらに、該導孔313を通って、該導管22及び該第二液体流路12に流入し、最後に、患者体内に導入されて患者の身体に作用する。
【００４２】
これにより、医療上の輸血或いは輸薬過程において、従来の注射針を使用する必要がなくなり、ニードレス式注射器100とニードレス式コネクター構造10を相互対応して接続することで、針刺し事件の発生を回避でき、注射針の交換及び回收を減らすことで、医療コストを低下させることができる。
【００４３】
該ストッパー31が、該第一液体流路11内をスライド移動する過程において、該ストッパー31外周面に形成する第二環状部312は、常に該第二環状内壁面113に接触するため、液体200が、該ストッパー31と該第二環状内壁面113の間の空隙を通って、他の位置へと漏出する恐れがない。
【００４４】
こうして、ニードレス式注射器100中の液体200は、確実に、該導孔313中に流入し、本考案のニードレス式コネクター構造10は良好な導流安定性を備える。
【００４５】
さらに、該ストッパー31は、チョックブロック33、及び該チョックブロック33外周に嵌合して設置する２個のOリング34を備え、該チョックブロック33は硬質材料で形成し、Oリング34は、ゴム或いはシリコンゴム等の材質で形成する。チョックブロック33は、２個の該Oリング34を嵌合して密封作用を果たす第一環状部311及び第二環状部312を形成する。
【００４６】
これにより、本考案は簡単で、しかも製造に便利なパーツを利用し、作用が安定したストッパー31を簡単に組み立てて構成でき、こうしてニードレス式コネクター構造10の製造コストを節減することができる。
【００４７】
また、該ストッパー31の、注射ヘッド101に接する端面には、入液面335を形成し、該入液面335には、周縁336に至る導流溝337を設ける。
【００４８】
こうして、ニードレス式注射器100中の液体200は、該導流溝337を通り、該第一液体流路11中に進入し、液体200が該ストッパー31の表面に阻害されることを回避でき、液体200逆流問題の発生を低下させることができる。
【００４９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００５０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５１】
10  ニードレス式コネクター構造
1  中空コネクター
11  第一液体流路
112  第一環状内壁面
113  第二環状内壁面
12  第二液体流路
13  第一中空体
131  外ネジヤマ
14  第二中空体
141  隔壁
142  中空管
143  陥没区
144  内ネジヤマ
2  バネ
3  開閉アセンブリ
31  ストッパー
311  第一環状部
312  第二環状部
313  導孔
32  導管
33  チョックブロック
331  肩部
332  頭部
333  第一環状溝
334  第二環状溝
335  入液面
336  周縁
337  導流溝
34  Oリング
100  ニードレス式注射器
101  注射ヘッド
200  液体
【図１】
0003181639.tif 000003
【図２】
0003181639.tif 000004
【図３】
0003181639.tif 000005
【図４】
0003181639.tif 000006
【図５】
0003181639.tif 000007
【図６】
0003181639.tif 000008